(57)【要約】      （修正有）【課題】１個の取り付けで輸送中の貨物の３次元方向の転倒を監視すると共に貨物の転倒方向を特定する貨物転倒監視装置を提供する。【解決手段】２個の球体と、各球体をそれぞれ別々に収納可能な空間が内部に形成されたケース本体１１とを備え、各空間には、各球体を初期位置に保持する初期位置保持空間と、各球体を貨物転倒時の移動位置に保持する移動位置保持空間と、初期位置保持空間と移動位置保持空間との間を連通する球体通過孔とがそれぞれ形成されており、移動位置保持空間には、移動位置保持空間における球体の保持状態を視認可能な視認窓３２ａ，３２ｂが設けられていることを特徴とする。【選択図】図１
0003145187.tif 000002
【実用新案登録請求の範囲】
【請求項１】
輸送中の貨物の転倒を監視するために該貨物の鉛直面に取り付けられる貨物転倒監視装置であって、
２個の球体と、
該各球体をそれぞれ別々に収納可能な空間が内部に形成されたケース本体と、
を備え、該ケース本体の各空間には、前記各球体を初期位置に保持する初期位置保持空間と、前記各球体を前記貨物転倒時の移動位置に保持する移動位置保持空間と、前記初期位置保持空間と前記移動位置保持空間との間を連通する球体通過孔とがそれぞれ形成されており、前記ケース本体の一方の空間の初期位置保持空間には、前記貨物が前後方向のいずれか一方向に所定角度以上傾倒した時に前記初期位置保持空間の球体を前記球体通過孔に誘導可能な傾斜部が形成されていると共に、前記貨物が左右方向のいずれか一方向に所定角度以上傾倒した時に前記初期位置保持空間の球体を前記球体通過孔に誘導可能な傾斜部が形成されており、前記ケース本体の他方の空間の初期位置保持空間には、前記貨物が前後方向の他方向に所定角度以上傾倒した時に前記初期位置保持空間の球体を前記球体通過孔に誘導可能な傾斜部が形成されていると共に、前記貨物が左右方向の他方向に所定角度以上傾倒した時に前記初期位置保持空間の球体を前記球体通過孔に誘導可能な傾斜部が形成されており、前記移動位置保持空間には、該移動位置保持空間における前記球体の保持状態を視認可能な視認窓が設けられていることを特徴とする貨物転倒監視装置。
【請求項２】
前記初期位置保持空間には、前記球体の移動を拘束するための移動拘束手段が着脱可能に設けられている請求項１に記載の貨物転倒監視装置。
【請求項３】
前記移動位置保持空間には、該移動位置保持空間に移動した前記球体の前記球体通過孔への転動を阻止するための転動阻止手段が設けられている請求項１又は２に記載の貨物転倒監視装置。
【考案の詳細な説明】
【技術分野】
【０００１】
本考案は、輸送中の貨物の転倒を監視するために該貨物の鉛直面に取り付けられる貨物転倒監視装置に関する。
【背景技術】
【０００２】
近年、精密機器、美術工芸品、生鮮食品等、転倒を嫌う品物を貨物として輸送する場合に、その品物が輸送中に壊れたり、傷ついたりした際の責任の所在を明確にするため、貨物に転倒監視装置を取り付け、輸送中の貨物の転倒を監視することが行われている。
【０００３】
従来のこの種の転倒監視装置としては、図７に示すように、例えば、カード状のラベル１ａを貨物２の鉛直面（例えば、前面３ａ）に貼り付け、輸送中に貨物２が転倒した場合にはラベル１ａの表示部４ａの色を変化させることにより、輸送中の貨物２の転倒の有無を監視するもの等が知られている。
【考案の開示】
【考案が解決しようとする課題】
【０００４】
しかしながら、上記した従来の貨物転倒監視装置では、前後方向（図７のＸＺ平面方向）又は左右方向（図７のＹＺ平面方向）のいずれかの２次元方向の転倒にしか反応できないため、３次元方向（図７のＸＺ平面方向及びＹＺ平面方向）の転倒に対応するためには、貨物２の別々の鉛直面（前面３ａと側面３ｂ）にそれぞれラベル１ａ，１ｂを取り付ける必要があった。したがって、ラベル１ａ，１ｂの設置個数が増加し、取り付け作業に手間が掛かるとと共に取り付けコストが嵩むといった問題があった。
【０００５】
また、上記した従来の貨物転倒監視装置では、輸送中の貨物２の転倒の有無を監視することはできるが、貨物２の転倒方向を特定できないといった問題があった。すなわち、図７に示すように、例えば、前面３ａに取り付けたラベル１ａでは左右のいずれの方向に貨物２が転倒したかを特定できず、また、側面３ｂに取り付けたラベル１ｂでは前後のいずれの方向に貨物２が転倒したかを特定できなかった。
【０００６】
本考案は、上記した課題を解決すべくなされたものであり、１個の取り付けで輸送中の貨物の３次元方向の転倒を監視することができると共に貨物の転倒方向を特定することのできる貨物転倒監視装置を提供することを目的とするものである。
【課題を解決するための手段】
【０００７】
上記した目的を達成するため、本考案は、輸送中の貨物の転倒を監視するために該貨物の鉛直面に取り付けられる貨物転倒監視装置であって、２個の球体と、該各球体をそれぞれ別々に収納可能な空間が内部に形成されたケース本体とを備え、該ケース本体の各空間には、前記各球体を初期位置に保持する初期位置保持空間と、前記各球体を前記貨物転倒時の移動位置に保持する移動位置保持空間と、前記初期位置保持空間と前記移動位置保持空間との間を連通する球体通過孔とがそれぞれ形成されており、前記ケース本体の一方の空間の初期位置保持空間には、前記貨物が前後方向のいずれか一方向に所定角度以上傾倒した時に前記初期位置保持空間の球体を前記球体通過孔に誘導可能な傾斜部が形成されていると共に、前記貨物が左右方向のいずれか一方向に所定角度以上傾倒した時に前記初期位置保持空間の球体を前記球体通過孔に誘導可能な傾斜部が形成されており、前記ケース本体の他方の空間の初期位置保持空間には、前記貨物が前後方向の他方向に所定角度以上傾倒した時に前記初期位置保持空間の球体を前記球体通過孔に誘導可能な傾斜部が形成されていると共に、前記貨物が左右方向の他方向に所定角度以上傾倒した時に前記初期位置保持空間の球体を前記球体通過孔に誘導可能な傾斜部が形成されており、前記移動位置保持空間には、該移動位置保持空間における前記球体の保持状態を視認可能な視認窓が設けられていることを特徴とする。
【０００８】
そして、前記初期位置保持空間には、前記球体の移動を拘束するための移動拘束手段が着脱可能に設けられているのが好ましい。
【０００９】
また、前記移動位置保持空間には、該移動位置保持空間に移動した前記球体の前記球体通過孔への転動を阻止するための転動阻止手段が設けられているのが好ましい。
【考案の効果】
【００１０】
本考案によれば、１個の取り付けで輸送中の貨物の３次元方向の転倒を監視することができると共に転倒方向を特定することができる等、種々の優れた効果を得ることができる。
【考案を実施するための最良の形態】
【００１１】
以下、図面を参照しつつ、本考案の実施の形態について説明する。ここで、図１は本考案の実施の形態に係る貨物転倒監視装置を示す正面図、図２は同貨物転倒監視装置を示す背面図、図３は同貨物転倒監視装置を示す左側面図、図４は同貨物転倒監視装置を示す右側面図、図５は図３のＡ−Ａ矢視図、図６は同貨物転倒監視装置を貨物に取り付けた状態を示す斜視図である。
【００１２】
本考案の実施の形態に係る貨物転倒監視装置１０は、煙草箱状のケース本体１１の内部に２個の金属製球体１２ａ，１２ｂが収納されて構成されており、ケース本体１１の背面側を貨物１３の鉛直面１４に貼付して使用するようになっている。
【００１３】
ケース本体１１の内部は、水平仕切壁１５によって第１空間１６ａと第２空間１６ｂの２つの空間に上下に仕切られており、さらに、第１空間１６ａと第２空間１６ｂは、お互いに反対方向に傾斜する傾斜仕切壁１７ａ，１７ｂによって初期位置保持空間１８ａ，１８ｂと移動位置保持空間１９ａ，１９ｂに仕切られている。初期位置保持空間１８ａ，１８ｂは、それぞれ、第１空間１６ａと第２空間１６ｂの左右反対側の位置に正面視で三角形状を成すように形成されており、水平に対して所定角度α（例えば、８０度）傾斜する側方傾斜部２０ａ，２０ｂによって、デッドスペース２１ａ，２１ｂと球体保持部２２ａ，２２ｂとにそれぞれ仕切られている。そして、初期位置では、第１空間１６ａの球体保持部２２ａに一方の球体１２ａが収納され、第２空間１６ｂの球体保持部２２ｂに他方の球体１２ｂが収納されるようになっている。
【００１４】
図３に良く示されているように、第１空間１６ａの初期位置保持空間１８ａの正面側のケース本体１１には水平に対して所定角度α（例えば、８０度）、上方に向かって後側に傾斜する正面傾斜部２３ａが形成されていると共に、第１空間１６ａの初期位置保持空間１８ａの背面側のケース本体１１には水平に対して所定角度α（例えば、８０度）、下方に向かって前側に傾斜する背面傾斜部２４ａが形成されており、正面傾斜部２３ａと背面傾斜部２４ａとは球体１２ａが通過可能な間隔を空けて平行を成している。
【００１５】
また、図４に良く示されているように、第２空間１６ｂの初期位置保持空間１８ｂの正面側のケース本体１１には水平に対して所定角度α（例えば、８０度）、下方に向かって後側に傾斜する正面傾斜部２３ｂが形成されていると共に、第２空間１６ｂの初期位置保持空間１８ｂの背面側のケース本体１１には水平に対して所定角度α（例えば、８０度）、上方に向かって前側に傾斜する背面傾斜部２４ｂが形成されており、正面傾斜部２３ｂと背面傾斜部２４ｂとは球体１２ｂが通過可能な間隔を空けて平行を成している。
【００１６】
各球体保持部２２ａ，２２ｂの下部正面側のケース本体１１には、球体保持部２２ａ，２２ｂに保持されている球体１２ａ，１２ｂを視認可能なように透明な円形の初期位置用視認窓２５ａ，２５ｂがそれぞれ形成されている。また、ケース本体１１には、初期位置用視認窓２５ａ，２５ｂの上方に移動拘束手段としてのピン２６ａ，２６ｂが着脱可能な細孔２７ａ，２７ｂが形成されており、これらの細孔２７ａ，２７ｂにピン２６ａ，２６ｂを挿着することにより球体保持部２２ａ，２２ｂに保持されている球体１２ａ，１２ｂの移動を拘束できるようになっている。
【００１７】
傾斜仕切壁１７ａ，１７ｂには、初期位置保持空間１８ａ，１８ｂの球体保持部２２ａ，２２ｂと移動位置保持空間１９ａ，１９ｂとの間を連通するように球体通過孔２９ａ，２９ｂが形成されている。また、傾斜仕切壁１７ａ，１７ｂの球体通過孔２９ａ，２９ｂの上方位置には、移動位置保持空間１９ａ，１９ｂ側に略水平に突出する上方突起片３０ａ，３０ｂが形成されていると共に、傾斜仕切壁１７ａ，１７ｂの球体通過孔２９ａ，２９ｂの下方位置には、移動位置保持空間１９ａ，１９ｂ側に斜めに突出する下方突起片３１ａ，３１ｂが形成されており、これらの上方突起片３０ａ，３０ｂ及び下方突起片３１ａ，３１ｂは、移動位置保持空間１９ａ，１９ｂに移動した球体１２ａ，１２ｂの球体通過孔２９ａ，２９ｂへの転動を阻止する転動阻止手段として機能するようになっている。
【００１８】
各移動位置保持空間１９ａ，１９ｂの下部正面側のケース本体１１には、各移動位置保持空間１９ａ，１９ｂの下部に保持されている球体１２ａ，１２ｂを視認可能なように透明な横長矩形の移動位置用視認窓３２ａ，３２ｂがそれぞれ形成されている。
【００１９】
次に、本発明の実施の形態に係る貨物転倒監視装置１０の作用について説明する。
【００２０】
先ず、図６に示すように、ケース本体１１の背面側を貨物１３の鉛直面１４に貼付し、ピン２６ａ，２６ｂをそれぞれ細孔２７ａ，２７ｂから引き抜いて貨物転倒監視装置１０を貨物１３にセットする。
【００２１】
この状態で貨物１３を輸送中、貨物１３が前方に所定角度（例えば、８０度）以上傾倒すると、第１空間１６ａの球体１２ａは初期位置に静止したまま移動しないが、第２空間１６ｂの球体１２ｂは正面傾斜部２３ｂの傾斜に従って正面傾斜部２３ｂ上を転動し、球体通過孔２９ｂから移動位置保持空間１９ｂ内に移動する。
【００２２】
そして、貨物１３が元の姿勢に戻ると、球体１２ｂは移動位置保持空間１９ｂの下部に移動する。これにより、球体１２ｂが移動位置保持空間１９ｂに移動したことが移動位置用視認窓３２ｂを通して外部から視認することができ、輸送中に貨物１３が前方に転倒したことが分かる。なお、一端、移動位置保持空間１９ｂ内に移動した球体１２ｂは、上方突起片３０ｂ及び下方突起片３１ｂによって球体通過孔２９ｂへの転動を阻止されるため、移動位置保持空間１９ｂ内の球体１２ｂが球体通過孔２９ｂを通って初期位置保持空間１８ｂ内に戻ることはない。
【００２３】
一方、貨物１３が後方に所定角度（例えば、８０度）以上傾倒すると、上記した場合と反対に、第２空間１６ｂの球体１２ｂは初期位置に静止したまま移動しないが、第１空間１６ａの球体１２ａは背面傾斜部２４ａの傾斜に従って背面傾斜部２４ａ上を転動し、球体通過孔２９ａから移動位置保持空間１９ａ内に移動する。
【００２４】
そして、貨物１３が元の姿勢に戻ると、球体１２ａは移動位置保持空間１９ａの下部に移動する。これにより、球体１２ａが移動位置保持空間１９ａに移動したことが移動位置用視認窓３２ａを通して外部から視認することができ、輸送中に貨物１３が後方に転倒したことが分かる。なお、一端、移動位置保持空間１９ａ内に移動した球体１２ａは、上方突起片３０ａ及び下方突起片３１ａによって球体通過孔２９ａへの転動を阻止されるため、移動位置保持空間１９ａ内の球体１２ａが球体通過孔２９ａを通って初期位置保持空間１８ａ内に戻ることはない。
【００２５】
また、貨物１３を輸送中、貨物１３が左方に所定角度（例えば、８０度）以上傾倒すると、第１空間１６ａの球体１２ａは初期位置に静止したまま移動しないが、第２空間１６ｂの球体１２ｂは側方傾斜部２０ｂの傾斜に従って側方傾斜部２０ｂ上を転動し、球体通過孔２９ｂから移動位置保持空間１９ｂ内に移動する。
【００２６】
そして、貨物１３が元の姿勢に戻ると、球体１２ｂは移動位置保持空間１９ｂの下部に移動する。これにより、球体１２ｂが移動位置保持空間１９ｂに移動したことが移動位置用視認窓３２ｂを通して外部から視認することができ、輸送中に貨物１３が後方に転倒したことが分かる。なお、一端、移動位置保持空間１９ｂ内に移動した球体１２ｂは、上方突起片３０ｂ及び下方突起片３１ｂによって球体通過孔２９ｂへの転動を阻止されるため、移動位置保持空間１９ｂ内の球体１２ｂが球体通過孔２９ｂを通って初期位置保持空間１８ｂ内に戻ることはない。
【００２７】
一方、貨物１３が右方に所定角度（例えば、８０度）以上傾倒すると、上記した場合と反対に、第２空間１６ｂの球体１２ｂは初期位置に静止したまま移動しないが、第１空間１６ａの球体１２ａは側方傾斜部２０ａの傾斜に従って側方傾斜部２０ａ上を転動し、球体通過孔２９ａから移動位置保持空間１９ａ内に移動する。
【００２８】
そして、貨物１３が元の姿勢に戻ると、球体１２ａは移動位置保持空間１９ａの下部に移動する。これにより、球体１２ａが移動位置保持空間１９ａに移動したことが移動位置用視認窓３２ａを通して外部から視認することができ、輸送中に貨物１３が右方に転倒したことが分かる。なお、一端、移動位置保持空間１９ａ内に移動した球体１２ａは、上方突起片３０ａ及び下方突起片３１ａによって球体通過孔２９ａへの転動を阻止されるため、移動位置保持空間１９ａ内の球体１２ａが球体通過孔２９ａを通って初期位置保持空間１８ａ内に戻ることはない。
【００２９】
このように上記した実施の形態に係る貨物転倒監視装置１０によれば、貨物１３の１つの鉛直面１４に取り付けるだけで、輸送中の貨物１３が後方又は右方に所定角度以上傾倒した場合には、外部から第１空間１６ａの移動位置用視認窓３２ａを通して球体１２ａを視認することにより、その事実を把握することができる一方、輸送中の貨物１３が前方又は左方に所定角度以上傾倒した場合には、外部から第２空間１６ｂの移動位置用視認窓３２ｂを通して球体１２ｂを視認することにより、その事実を把握することができる。すなわち、１個の貨物転倒監視装置１０を貨物１３の鉛直面１４に取り付けるだけで、３次元方向の貨物１３の転倒を監視することができると共に貨物１３の転倒方向を特定することができる。さらにまた、貨物転倒監視装置１０の設置個数を削減し、取り付け作業の簡素化を図ることができるとと共に取り付けコストの低減化が可能となる。
【図面の簡単な説明】
【００３０】
【図１】本考案の実施の形態に係る貨物転倒監視装置を示す正面図である。
【図２】本考案の実施の形態に係る貨物転倒監視装置を示す背面図である。
【図３】本考案の実施の形態に係る貨物転倒監視装置を示す左側面図である。
【図４】本考案の実施の形態に係る貨物転倒監視装置を示す右側面図である。
【図５】図３のＡ−Ａ矢視図である。
【図６】本考案の実施の形態に係る貨物転倒監視装置を貨物に取り付けた状態を示す斜視図である。
【図７】従来の貨物転倒監視装置を貨物に取り付けた状態を示す斜視図である。
【符号の説明】
【００３１】
１０              貨物転倒監視装置
１１              ケース本体
１２ａ，１２ｂ    球体
１６ａ            第１空間
１６ｂ            第２空間
１８ａ，１８ｂ    初期位置保持空間
１９ａ，１９ｂ    移動位置保持空間
２０ａ，２０ｂ    側方傾斜部
２３ａ，２３ｂ    正面傾斜部
２４ａ，２４ｂ    背面傾斜部
２５ａ，２５ｂ    初期位置用視認窓
２６ａ，２６ｂ    ピン（移動拘束手段）
２９ａ，２９ｂ    球体通過孔
３０ａ，３０ｂ    上方突起片（転動阻止手段）
３１ａ，３１ｂ    下方突起片（転動阻止手段）
３２ａ，３２ｂ    移動位置用視認窓
【図１】
0003145187.tif 000003
【図２】
0003145187.tif 000004
【図３】
0003145187.tif 000005
【図４】
0003145187.tif 000006
【図５】
0003145187.tif 000007
【図６】
0003145187.tif 000008
【図７】
0003145187.tif 000009